(57)【要約】【課題】  既存の仮設部材１に使用でき、正規の手摺部材を取り付ける前に取り付けることができ、しかも作業が容易で落下の心配がない手摺部材を提供する。【解決手段】  所定間隔で配設される支柱２を備えた仮設部材１に使用する摺動式手摺部材６であって、前記支柱２の間に配設される手摺部９を備え、該手摺部９は、前記各支柱２に沿って昇降可能なガイド部１０と、前記支柱２に係合して前記手摺部９を位置決め可能な位置決め部１２とを有する構成とする。【選択図】  図１
2006233504.tif 000002
【特許請求の範囲】
【請求項１】
所定間隔で立設される支柱を備えた仮設部材に使用する手摺部材であって、
前記支柱の間に配設される手摺部を備え、
該手摺部に、前記各支柱に沿って昇降可能なガイド部と、前記支柱に係合して前記手摺部を位置決め可能な位置決め部とを設けたことを特徴とする手摺部材。
【請求項２】
前記ガイド部は、
前記手摺部の端部に形成した第１延設部と、
前記手摺部から延びる連接部に形成され、前記第１延設部に対向する第２延設部とで構成したことを特徴とする請求項１に記載の手摺部材。
【請求項３】
前記連接部は、第２延設部側に向かうに従って徐々に広がる傾斜部分を備えたことを特徴とする請求項２に記載の手摺部材。
【請求項４】
前記手摺部の両端側にそれぞれ形成される第２延設部を連結する第２の手摺部を備えたことを特徴とする請求項２に記載の手摺部材。
【請求項５】
前記ガイド部は、前記支柱の外周面を軸方向に沿って転動可能な複数のローラを備えたことを特徴とする請求項１乃至４のいずれか１項に記載の手摺部材。
【請求項６】
前記支柱は、軸方向に連接される複数の支柱構成部からなり、
前記第１延設部及び第２延設部は、支柱構成部を連接した状態で、一方の支柱構成部から他方の支柱構成部に向かって手摺部材を移動させた際、他方の支柱構成部から脱落しない位置に配置したことを特徴とする請求項２に記載の手摺部材。
【請求項７】
前記支柱構成部は、一端側外周部に連結受部を備え、
前記連接部は、前記支柱構成部を連接した状態で、手摺部を下段の支柱構成部から上段の支柱構成部へと移動させて位置決め部により位置決めした状態で、前記連結受部を利用して固定式手摺部材を取付容易とする逃がし部を備えたことを特徴とする請求項６に記載の手摺部材。
【請求項８】
前記位置決め部は、前記支柱構成部に形成した連結受部に連結可能であることを特徴とする請求項７に記載の手摺部材。
【請求項９】
外周部に連結受部を備え、所定間隔で配設される支柱と、
該支柱の連結受部に連結される連結部を備え、支柱間を連結する連結部材と、
前記支柱の間に配設される手摺部を備え、該手摺部が、前記支柱に沿って移動可能なガイド部と、前記支柱に係合して前記手摺部を位置決め可能な位置決め部とを有する手摺部材とを備えたことを特徴とする仮設部材。
【請求項１０】
前記ガイド部は、手摺部の両端部で位置をずらせて形成される第１ガイド部と第２ガイド部とからなり、前記手摺部材を所定間隔で配設した３本の支柱で、中央の１本を共通として取り付ける際、中央の１本に、一方の手摺部材の第１ガイド部が位置すると共に、他方の手摺部材の第２ガイド部が位置した状態で、両ガイド部の間の干渉を回避可能としたことを特徴とする請求項９に記載の仮設部材。
【請求項１１】
前記手摺部材の位置決め部は、手摺部材を支柱に沿って上段に移動させた状態で、連結受部に連結可能であることを特徴とする請求項９又は１０に記載の仮設部材。
【請求項１２】
所定間隔で支柱を配置し、支柱間を連結部材により連結し、該支柱に、請求項１乃至７のいずれか１項に記載された手摺部材のガイド部を取り付け、該ガイド部を前記支柱に沿って移動させた後、位置決め部により支柱に位置決めすることを特徴とする仮設部材の組立方法。
【発明の詳細な説明】
【技術分野】
【０００１】
本発明は、建築物などの構造体の外側等に一時的に構築される仮設構造物又は仮設足場として利用される仮設部材に使用する手摺部材、この手摺部材を備えた仮設部材、及び、この仮設部材の組立方法に関するものである。
【背景技術】
【０００２】
従来、仮設部材に使用する手摺部材として、例えば、所定間隔で２列に配置した各支柱列のうち、外側に位置する支柱列の各支柱に、上下方向に所定間隔で孔付きのフランジを固定し、このフランジの孔を利用して手摺部材を取り付けるようにしたものが公知である（例えば、特許文献１参照）。この手摺部材では、上段移動しての組立作業に先行して予め上段に手摺部材を取り付けておくことが可能である。
【特許文献１】特開２００２−３１７５５２号公報
【発明の開示】
【発明が解決しようとする課題】
【０００３】
しかしながら、前記手摺部材では、支柱を、手摺部材を取付可能な専用の構成、すなわち孔付きフランジを有する構成とする必要がある。このため、繰り返し使用可能である既存の仮設部材には採用できないという問題がある。
【０００４】
また、前記手摺部材を仮設部材に取り付けるには、フランジに形成した孔に手摺部材の各部を係止して行く必要があるが、この作業は手の届かない位置でも行う必要があり、非常に困難である。また、手摺部材は支柱とは完全に独立して取り付ける必要があるため、誤って落下させる恐れもあり、非常に危険である。
【０００５】
そこで、本発明は、既存の仮設部材に使用でき、正規の手摺部材を取り付ける前に取り付けることができ、しかも作業が容易で落下の心配もない手摺部材、この手摺部材を使用した仮設部材、及び、この仮設部材の組立方法を提供することを課題とする。
【課題を解決するための手段】
【０００６】
本発明は、前記課題を解決するための手段として、所定間隔で立設される支柱を備えた仮設部材に使用する手摺部材であって、前記支柱の間に配設される手摺部を備え、該手摺部に、前記各支柱に沿って昇降可能なガイド部と、前記支柱に係合して前記手摺部を位置決め可能な位置決め部とを設けたものである。
【０００７】
この構成により、ガイド部を支柱に沿って簡単に移動させることができる。また、手摺部材は、ガイド部によって支柱にガイドされているため、落下することもない。そして、位置決め部を支柱に係合すれば、作業者が上段に移動した時点では、既に手摺部材が取り付けられた状態となり安全である。
【０００８】
前記ガイド部は、前記手摺部の端部に形成した第１延設部と、前記手摺部から延びる連接部に形成され、前記第１延設部に対向する第２延設部とで構成するのが好ましい。
【０００９】
この構成により、他の部品等と干渉することなく、支柱に沿ってガイド部を移動させることが可能となる。
【００１０】
前記連接部は、第２延設部側に向かうに従って徐々に広がる傾斜部分を備えるのが好ましい。
【００１１】
この構成により、支柱に取り付けた状態で、作業スペース内への突出部分を極力抑えて作業の妨げとならないようにすることが可能となる。
【００１２】
前記手摺部の両端側にそれぞれ形成される第２延設部を連結する第２の手摺部を備えるのが好ましい。
【００１３】
この構成により、手摺部を強固なものとすることができると共に、作業者に２重に手摺部が形成されていることを認識させることにより、より一層安心感を与えることが可能となる。
【００１４】
前記ガイド部は、前記支柱の外周面を軸方向に沿って転動可能な複数のローラを備えるのが好ましい。
【００１５】
この構成により、支柱に沿ってガイド部をスムーズに移動させることが可能となる。
【００１６】
前記支柱は、軸方向に連接される複数の支柱構成部からなり、前記第１延設部及び第２延設部は、支柱構成部を連接した状態で、一方の支柱構成部から他方の支柱構成部に向かって手摺部材を移動させた際、他方の支柱構成部から脱落しない位置に配置するのが好ましい。
【００１７】
この構成により、予め支柱構成部を連接しておくことなく、順次支柱構成部を連接した後、手摺部材を移動させることが可能となる。
【００１８】
前記支柱構成部は、一端側外周部に連結受部を備え、前記連接部は、前記支柱構成部を連接した状態で、手摺部を一方の支柱構成部から他方の支柱構成部へと移動させて位置決め部により位置決めした状態で、前記連結受部を利用して固定式手摺部材を取付容易とする逃がし部を備えるのが好ましい。
【００１９】
この構成により、手摺部材を一方の支柱構成部から他方の支柱構成部へと移動させて作用位置の安全を確保した上で容易に固定式手摺部材を取り付けることが可能となる。
【００２０】
前記位置決め部は、前記支柱構成部に形成した連結受部に連結可能であるのが好ましい。
【００２１】
この構成により、支柱には、新たに位置決め部によって位置決めさせるための構造を設ける必要がない。
【００２２】
本発明は、前記課題を解決するための手段として、仮設部材を、外周部に連結受部を備え、所定間隔で配設される支柱と、該支柱の連結受部に連結される連結部を備え、支柱間を連結する連結部材と、前記支柱の間に配設される手摺部を備え、該手摺部が、前記支柱に沿って移動可能なガイド部と、前記支柱に係合して前記手摺部を位置決め可能な位置決め部とを有する手摺部材とを備えた構成としたものである。
【００２３】
前記ガイド部は、手摺部の両端部で位置をずらせて形成される第１ガイド部と第２ガイド部とからなり、前記手摺部材を所定間隔で配設した３本の支柱で、中央の１本を共通として取り付ける際、中央の１本に、一方の手摺部材の第１ガイド部が位置すると共に、他方の手摺部材の第２ガイド部が位置した状態で、両ガイド部の間の干渉を回避可能とするのが好ましい。
【００２４】
この構成により、並設される複数本の支柱に、隣接して取り付ける各手摺部材間で支柱を共用しても、手摺部材間でガイド部同士の干渉を回避することができ、全て同一高さに配置することが可能となる。
【００２５】
前記手摺部材の位置決め部は、手摺部材を支柱に沿って上段に移動させた状態で、連結受部に連結可能とするのが好ましい。
【００２６】
この構成により、既に支柱に設けられている連結受部を利用して手摺部材の位置決めをも行うことが可能となる。
【００２７】
また、本発明は、前記課題を解決するための手段として、仮設部材の組立方法を、所定間隔で支柱を配置し、支柱間を連結部材により連結し、該支柱に、請求項１乃至７のいずれか１項に記載された手摺部材のガイド部を取り付け、該ガイド部を前記支柱に沿って移動させた後、位置決め部により支柱に位置決めするようにしたものである。
【発明の効果】
【００２８】
本発明によれば、各支柱に沿って昇降可能なガイド部と、支柱に係合して手摺部を位置決め可能な位置決め部とを備えたので、移動させて取付位置を容易に変更することができる。したがって、上段での組立作業に先行して手摺を設けておくことができ、作業の安全性を確保することが可能となる。しかも、ガイド部の働きにより、落下の心配もない上、位置決め部のみを支柱に位置決めするだけで簡単に取り付けることができる。
【発明を実施するための最良の形態】
【００２９】
以下、本発明に係る実施形態を添付図面に従って説明する。
（第１実施形態）
図１は、第１実施形態に係る仮設部材１を示す。この仮設部材１は、支柱２、連結部材３、踏板４、固定式手摺部材５、及び、摺動式手摺部材６を備える。
【００３０】
支柱２は、図２に示すように、断面円形のパイプからなる支柱構成部７を連接した構造である。但し、支柱構成部７の断面形状は、円形に限らず、四角形等でもよい。支柱構成部７の一端部には、外径寸法の小さな小径部７ａが形成され、他の支柱構成部７に嵌合して連接可能となっている。また、支柱構成部７の他端側（前記小径部７ａとは反対側）及び中間部の外周面には、周方向に４箇所等分で断面コ字形状のポケット８がそれぞれ形成されている。但し、対称位置にあるポケット８の間では支柱構成部７の軸方向の位置は同じであるが、直交して配置される他の対称位置にあるポケット８との間では軸方向に位置をずらせて配置されている。一方のポケット８の組（第１連結用ポケット８Ａ）と、他方のポケット８の組（第２連結用ポケット８Ｂ）との間のずれ量は、ほぼポケット８の軸方向の長さと同じである。また、各ポケット８は、支柱構成部７の一端側（支柱２として組み立てられて立設された状態で下方側）に向かって、支柱構成部７との対向面が徐々に接近する傾斜面８ａとなっている。なお、ポケット８は、支柱構成部７とは別に平板を折り曲げて形成し、溶接等により支柱構成部７に固定することにより形成することができる。また、支柱２は、ジャッキベース２１を布材（図示せず）によって枠組みして土台としたものに連接され、２列の支柱列となる。
【００３１】
連結部材３は、図１及び図３に示すように、前記支柱２と同様なパイプで構成されている。連結部材３の両端部には、前記２列の支柱列の対向する各支柱構成部７に形成したポケット８のうち、第２連結用ポケット８Ｂに連結される、フック状の連結部３ａが形成されている。
【００３２】
踏板４は、詳細については図示しないが、矩形状に形成した構成枠に、金網を取り付け、両端に前記連結部材３に引っ掛けるためのフック状の連結部（図示せず）を突設させた構造である。
【００３３】
固定式手摺部材５は、図３に示すように、前記支柱２と同様なパイプで構成されている。固定式手摺部材５の両端部には、前記各支柱構成部７に形成したポケット８のうち、第２連結用ポケット８Ｂに連結される、フック状の連結部５ａが形成されている。
【００３４】
前記支柱２、連結部材３、及び、踏板４は、従来周知である既存構成のものを使用することが可能である。
【００３５】
摺動式手摺部材６は、図４に示すように、手摺部９、ガイド部１０、トラス部１１、及び、位置決め部１２からなり、これらは全て前記支柱２と同様なパイプで構成されている。
【００３６】
手摺部９は、パイプを、上方側手摺９ａと下方側手摺９ｂを平行に配置し、両端部同士を第１垂直手摺９ｃと第２垂直手摺９ｄとでそれぞれ連結した矩形状のもので、所定間隔で建築物とは反対側すなわち外側に配置した支柱２の間に配置される。
【００３７】
ガイド部１０は、手摺部９の一端側に位置する第１ガイド部１０ａと、他端側に位置する第２ガイド部１０ｂとで構成されている。第１ガイド部１０ａに対して第２ガイド部１０ｂは前記各垂直手摺９ｃ、９ｄの軸方向に位置をずらせて形成されている。これにより、後述するようにして、同一の支柱構成部７に、摺動式手摺部材６の第１ガイド部１０ａを取り付けた後、他の摺動式手摺部材６の第２ガイド部１０ｂを取り付けた場合の干渉が回避される。
【００３８】
また、前記各ガイド部１０は、図５に示すように、手摺部９の両端上部にそれぞれ連結される第１延設部１３ａと第２延設部１３ｂを備える。第１延設部１３ａは、上方側手摺９ａから、その軸方向に延設した部分に形成される。一方、第２延設部１３ｂは、上方側手摺９ａから、クランク状に延設した連接部１４の先端部分に形成される。すなわち、連接部１４は、上方側手摺から上方に延びる第１連接部１４ａと、次いで上方側手摺９ａとはねじれの位置となる傾斜方向に延びる第２連接部１４ｂと、さらに下方へと延びる第３連接部１４ｃとで構成されている。これにより、前記各延設部１３ａ，１３ｂを対向位置に配置可能となっている。前記第２連接部１４ｂは、後述するように支柱２に摺動式手摺部材６を取り付けた際、作業者側で第３連接部１４ｃを支柱２近傍に位置させることになる。つまり、できるだけ作業の邪魔とならないように工夫されている。前記各延設部１３ａ，１３ｂには、２箇所ずつ切欠き１３ｃが形成され、略コ字形の保持具１５ａを介してローラ１５が回転自在に取り付けられている。各延設部１３ａ，１３ｂでは、ローラ１５の回転中心が直交するように配置されており、延設部１３ａ，１３ｂ間で各ローラ１５が対向している。そして、これら４つのローラ１５の間に支柱２が位置し、支柱２に沿って摺動式手摺部材６を昇降させた際、ローラ１５が転動することにより、昇降動作をスムーズに行えるようになっている。
【００３９】
なお、前記各延設部１３ａ，１３ｂへのローラ１５の取付構造は、前述の切欠き１３ｃに保持具１５ａを介して取り付けるもののほか、ボルトやピン等によって取り付けるもの等、種々の形態を取ることができる。
【００４０】
トラス部１１は、図４に示すように、第２垂直手摺９ｄの下端部に斜材１６を固定し、この斜材１６の先端に第１垂直手摺９ｃを接続したもので、前記手摺部９の下方側手摺９ｂとで三角形のトラス構造を構成する。これにより、必要最小限の構造の追加で摺動式手摺部材６の強度を高めつつ、摺動式手摺部材６を持ち上げる際の把手としての役割を果たすことができるようになっている。
【００４１】
位置決め部１２は、図２に示すように、短冊状の板材を２箇所で直角に屈曲させることにより略コ字状とし、対向壁１７ａ，１７ｂと中間部分の片側に停止壁１７ｃを一体化したものである。停止壁１７ｃには、前記トラス部１１を構成する斜材１６の延長部分が一体化されている。対向壁１７ａ，１７ｂの間隔は、前記支柱２に形成したポケット８の軸方向の長さ寸法よりも若干広く形成されている。また、対向壁１７ａ，１７ｂには切欠部１８ａ，１８ｂがそれぞれ形成されている。ガイド部１０側に位置する第１対向壁１７ａに形成した第１切欠部１８ａに比べて残る他方の第２対向壁１７ｂに形成した第２切欠部１８ｂの方が幅寸法が広くなっている。停止壁１７ｃは、後述するように、支柱構成部７のポケット８に位置決め部１２を位置決めする際、いわゆる「当て」として使用する。また、位置決め部１２は、係合部材１９を備えている。係合部材１９は、指で摘むことのできる把持部１９ａと、この把持部１９ａから先端に向かうに従って徐々に幅が狭くなる係合部１９ｂとで構成されている。把持部１９ａは第１切欠部１８ａを通過不能な幅寸法に形成されている。係合部１９ｂは第１切欠部１８ａを移動自在であるが先端部分に、前記第１切欠部１８ａの幅寸法よりも厚い厚肉部１９ｃを形成され、第１切欠部１８ａから係合部材１９が脱落することを防止されている。また、厚肉部１９ｃは第１切欠部１８ａよりも幅広の第２切欠部１８ｂを挿通可能となっている。これにより、対向壁１７ａ，１７ｂの間に支柱２のポケット８を位置させた状態で、係合部材１９の係合部１９ｂをポケット８内に挿入し、第２切欠部１８ｂに挿通させることにより係合状態を得ることができるようになっている。
【００４２】
次に、前記構成の仮設部材１の組立方法について説明する。
【００４３】
まず、従来同様にして、建築物の側方に、ジャッキベース２１を布材により固定することにより土台となる枠組みを配置する。そして、ジャッキベース２１に支柱構成部７を連接する。続いて、建築物とは反対側すなわち外側に位置する２本の支柱構成部７に摺動式手摺部材６を取り付ける。摺動式手摺部材６は建築物に沿って所定間隔で複数本並設される。次いで、図６に示すように、隣接する支柱構成部７の上方から摺動式手摺部材６のガイド部１０を装着する、このとき、一方の摺動式手摺部材６の第１ガイド部１０ａの上方に他の摺動式手摺部材６の第２ガイド部１０ｂが位置するように取り付ける。前述のように、第１ガイド部１０ａと第２ガイド部１０ｂとの位置がずれて形成されている。したがって、両摺動式手摺部材６の間で、ガイド部１０ａと１０ｂが干渉することがない。以下同様にして、次の摺動式手摺部材６を取り付けて行く。これにより、全ての摺動式手摺部材６を同一高さで取り付けることが可能となる。
【００４４】
続いて、先に連接した支柱構成部７に次の支柱構成部７を連接する。そして、先に連接した２列の支柱列を構成する支柱構成部７の第２連結用ポケット８Ｂに連結部材３の連結部３ａを連結することにより、建築物に直交する方向に隣接する支柱構成部７の間を連結する。この状態で、最後に取り付けた摺動式手摺部材６を持ち上げる。摺動式手摺部材６は、手摺部９とトラス部１１を把持して持ち上げる。トラス部１１により強度が高められ、軽量化が図られ、かつ、ガイド部１０が設けられているため、スムーズに持ち上げることができる。またこのとき、支柱構成部７に沿ってローラ１５が転動することにより、上方側に連接した支柱構成部７の傾きが矯正される。そして、摺動式手摺部材６を持ち上げた状態に維持して、トラス部１１の先端に設けた位置決め部１２を先にジャッキベース２１に連接した支柱構成部７の上方側のポケット８Ａに位置決めする。この場合、位置決め部１２を構成する停止壁１７ｃをポケット８に当接させることにより、位置決め部１２を簡単にポケット８に位置させることができる。その後、係合部材１９をポケット８に挿通し、対向壁１７ｂに形成した第２切欠部１８ａに係合する。これにより、摺動式手摺部材６は２段目への付け替え作業が完了する。以下同様にして、隣接する摺動式手摺部材６を順次２段目へと付け替える。
【００４５】
次いで、２段目の支柱構成部７の間を連結部材３で連結し、連結部材３に踏板４を載置する。踏板４の取り付けが完了すれば、作業者は２段目に移動し、固定式手摺部材５の取り付けを行う。固定式手摺部材５は、その連結部５ａを第１連結用ポケット８Ａに連結させることにより行う。このとき、摺動式手摺部材６は、第２連接部１４ｂが支柱２に接近しているので作業の邪魔となることがない。また、前述のように屈曲して十分なスペースを確保する連接部１４により、固定式手摺部材５の取付作業をスムーズに行うことができる。
【００４６】
３段目以降も同様にして取付作業を行う。このように、上段の踏板４を取り付ける以前に、いわゆる「先行手摺り」として下段から上段に摺動式手摺部材６を取り付けることができる。これにより、作業者が上段に移動しても、安心して次の取付作業を行うことが可能となる。
【００４７】
なお、前記摺動式手摺部材６は順次上方へと移動させて固定式手摺部材５と入れ替えて行くが、最上段まで来れば、そのまま手摺として使用することもできる。また、取り外して他の支柱２に使用することも可能である。この場合、同じ工事現場で複数箇所に仮設足場を設置する必要があれば、前記摺動式手摺部材６の数量を必要最小限に留めることも可能である。
【００４８】
（第２実施形態）  図７は、第２実施形態に係る摺動式手摺部材６を示す。この摺動式手摺部材６では、第２連接部１４ｂが傾斜方向ではなく、直交方向に形成されている。これは、加工性を優先したものである。なお、その他の構成は前記第１実施形態と同様であるため、説明を省略する。
【００４９】
（第３実施形態）  図８は、第３実施形態に係る摺動式手摺部材６を示す。この摺動式手摺部材６では、前記第２実施形態の構成に加えて、手摺部９に両端に位置する第２延設部１３ｂ同士が、第２手摺部９ｅによって連結されている。これにより、手摺部９の強度が高まり、又、視覚的にも二重に手摺部９ａ，９ｅが形成されることにより、作業者により一層安心感を与えることができる。なお、その他の構成は前記第１実施形態と同様であるため、説明を省略する。
【００５０】
（第４実施形態）  図９は、第４実施形態に係る摺動式手摺部材６の一部を示す。この摺動式手摺部材６では、各延設部１３ａ，１３ｂに設けたローラ１５に代えて、円弧状のガイド板２３が設けられている。これにより、ローラ１５を設ける場合に比べて容易かつ安価に制作することが可能となる。なお、その他の構成は前記第１実施形態と同様であるため、説明を省略する。
【００５１】
（第５実施形態）  図１０は、第５実施形態に係る摺動式手摺部材６の一部を示す。この摺動式手摺部材６では、各延設部１３ａ，１３ｂに設けたローラ１５に代えて、このローラ１５よりも幅寸法の小さい円板２４が設けられている。これにより、支柱２に形成するポケット８の幅寸法を大きくすることができる。なお、その他の構成は前記第１実施形態と同様であるため、説明を省略する。
【００５２】
ところで、ローラ１５、ガイド板２３、円板２４の厚みは、ポケット８の形状に合わせて自由に設定することが可能である。
【００５３】
なお、前記各実施形態では、摺動式手摺部材６をくさび緊結式足場に使用する場合について説明したが、例えば、単管ブラケット足場、枠組み足場等であっても同様に使用することが可能である。
【００５４】
また、前記位置決め部１２は、前述のものに限らず、万力構造のボルト等を使用したものや支柱２にピンを差し込む構造とする等、種々の構造を採用することができる。
【図面の簡単な説明】
【００５５】
【図１】本実施形態に係る仮設足場の正面図である。
【図２】図１の支柱に設けたポケット部と、このポケット部に係合する位置決め部の詳細を示し、（ａ）は係合部材の係合前の状態、（ｂ）は係合後の状態を示す部分拡大図である。
【図３】図１の支柱に設けたポケット部と、摺動式手摺部材の支柱に外装されるガイド部を示す部分拡大断面図である。
【図４】図１に示す摺動式手摺部材の斜視図である。
【図５】図４に示す摺動式手摺部材のガイド部を示す部分拡大図である。
【図６】本実施形態に係る仮設足場の組立作業で、摺動式手摺部材を持ち上げ始めた状態を示す正面図である。
【図７】第２実施形態に係る摺動式手摺部材の斜視図である。
【図８】第３実施形態に係る摺動式手摺部材の斜視図である。
【図９】第４実施形態に係る摺動式手摺部材のガイド部を示す部分拡大斜視図である。
【図１０】第５実施形態に係る摺動式手摺部材のガイド部を示す部分拡大斜視図である。
【符号の説明】
【００５６】
１…仮設部材
２…支柱
３…連結部材
３ａ…連結部
４…踏板
５…固定式手摺部材
５ａ…連結部
６…摺動式手摺部材
７…支柱構成部
８…ポケット（連結受部）
８ａ…傾斜面
８Ａ…第１連結用ポケット
８Ｂ…第２連結用ポケット
９…手摺部
９ａ…上方側手摺
９ｂ…下方側手摺
９ｃ…第１垂直手摺
９ｄ…第２垂直手摺
９ｅ…第２手摺部（第２の手摺部）
１０…ガイド部
１０ａ…第１ガイド部
１０ｂ…第２ガイド部
１１…トラス部
１２…位置決め部
１３ａ…第１延設部
１３ｂ…第２延設部
１４…連接部
１４ａ…第１連接部
１４ｂ…第２連接部
１４ｃ…第３連接部
１５…ローラ
１５ａ…保持具
１６…斜材
１７ａ…第１対向壁
１７ｂ…第２対向壁
１８ａ…第１切欠部
１８ｂ…第２切欠部
１９…係合部材
１９ａ…把持部
１９ｂ…係合部
１９ｃ…厚肉部
２１…ジャッキベース
２３…ガイド板
２４…円板
【図１】
2006233504.tif 000003
【図２】
2006233504.tif 000004
【図３】
2006233504.tif 000005
【図４】
2006233504.tif 000006
【図５】
2006233504.tif 000007
【図６】
2006233504.tif 000008
【図７】
2006233504.tif 000009
【図８】
2006233504.tif 000010
【図９】
2006233504.tif 000011
【図１０】
2006233504.tif 000012